(57)【要約】【課題】　キャッチャーアームをコンパクトに閉じたままの状態で何等の障害もなく自在に移動できるようにする。【解決手段】　キャッチャーレバー３Ａ，３Ｂを介して内側方向へ折り込み可能に設けた複数のキャッチャーアーム組立対３と、キャッチャーアーム組立対３を連動昇降駆動制御する駆動手段と、何れかのキャッチャーレバー３Ａ，３Ｂを上昇回転位置で係止する係止手段５とを備える。キャッチャーアーム組立対３は、回転可能にホルダ枠２に支持された一対のキャッチャーレバー３Ａ，３Ｂと、キャッチャーレバー３Ａ，３Ｂ先端に回転可能に支持した一対のキャッチャーアーム３Ｃ，３Ｄと、ホルダ枠２に後端が回転可能に支持し、キャッチャーアーム３Ｃ，３Ｄの上端側側面に形成した長孔１３に先端がスライド可能に係入したアームサポート１４とからなるものとする。【選択図】図１
0003100426.tif 000002
【実用新案登録請求の範囲】
【請求項１】
　ホルダ枠と、
前記ホルダ枠に対しキャッチャーレバーを介して内側方向へ折り込み可能に設けられた複数のキャッチャーアーム組立対と、
前記キャッチャーアーム組立対を連動昇降駆動制御する駆動手段と、
複数のキャッチャーレバーの動作を制限すべく何れかのキャッチャーレバーを上昇回転位置で係止する係止手段とを備えたことを特徴とするキャッチャー装置。
【請求項２】
　前記キャッチャーアーム組立対は、回転可能にホルダ枠に支持された一対のキャッチャーレバーと、キャッチャーレバー先端に回転可能に支持された一対のキャッチャーアームと、ホルダ枠に後端が回転可能に支持され、キャッチャーアームの上端側側面に形成された長孔に先端がスライド可能に係入されたアームサポートとからなる請求項１記載のキャッチャー装置。
【請求項３】
　前記駆動手段は、駆動モータと、駆動モータの出力側プーリとエンドレスベルトを介して連繋された一端に伝達側プーリを備え、他端に第１駆動歯車を備えた第１駆動軸と、第１駆動軸の第１駆動歯車に噛合する第２駆動歯車を備えた第２駆動軸と、キャッチャーレバーを回転させるよう第１駆動軸、第２駆動軸それぞれに設けた駆動レバーとからなる請求項１または２記載のキャッチャー装置。
【請求項４】
　前記係止手段は、キャッチャーレバーが所定の仰角傾斜位置まで上昇回転した際に、作動子の突出によりキャッチャーレバーを係止可能とするソレノイドによるものである請求項１乃至４のいずれかに記載のキャッチャー装置。
【請求項５】
　前記キャッチャーアーム組立対は、一対のキャッチャーレバーの後端側それぞれに一端が連結され、ホルダ枠上側に配した回転駆動可能なネジに螺着したナットにそれぞれ他端が連結されてなる左右一対のスプリングバネと、ネジの上端に設けた回転シャッターによる遮光によってネジの回転数を検出するよう駆動する光センサと、ネジに対するナットの移動範囲を規制するマイクロスイッチとからなる景品把握力調整手段を含む請求項１記載のキャッチャー装置。
【考案の詳細な説明】
【技術分野】
【０００１】
　本考案は、景品捕獲ゲームにおいてショーウインドケース内で景品を捕獲するためのキャッチャー装置に関する。
【背景技術】
【０００２】
　従来、この種のキャッチャー装置としては、ショーウインドケース内で景品を捕獲するキャッチャーアームをキャッチャーレバーによって略コ字形に開いた状態のままで移動するようにしている。また、キャッチャーアームの把握力の強弱を調整する場合は、キャッチャーアームに対してスプリングバネを付け替えることで調整が行われる。
【特許文献１】特になし
【考案の開示】
【考案が解決しようとする課題】
【０００３】
　解決しようとする問題点は、キャッチャーアームが開いたまま移動すると景品を収容したショーウインドケース内で余分なスペースを取られてしまい、移動範囲がかなり制約されてしまうことである。また、キャッチャーアームの把握力の強弱を調整する場合は、キャッチャーアームに対してスプリングバネをいちいち付け替えなければならないため、その調整自体が非常に複雑且つ面倒であった。
【０００４】
　そこで本考案は叙上のような従来存した諸事情に鑑み創案されたもので、キャッチャーアームをコンパクトに閉じたままの状態で何等の障害もなく自在に移動できるようにすると共に、キャッチャーアームの把握力の強弱を容易に調整できるものとしたキャッチャー装置を提供することを目的とする。
【課題を解決するための手段】
【０００５】
　上述した目的を達成するため、本考案にあっては、ホルダ枠２と、前記ホルダ枠２に対しキャッチャーレバー３Ａ，３Ｂを介して内側方向へ折り込み可能に設けられた複数のキャッチャーアーム組立対３と、前記キャッチャーアーム組立対３を連動昇降駆動制御する駆動手段と、複数のキャッチャーアーム３Ｃ，３Ｄの動作を制限すべく何れかのキャッチャーレバー３Ａ，３Ｂを上昇回転位置で係止する係止手段５とを備えたことを特徴とする。
　前記キャッチャーアーム組立対３は、回転可能にホルダ枠２に支持された一対のキャッチャーレバー３Ａ，３Ｂと、キャッチャーレバー３Ａ，３Ｂ先端に回転可能に支持された一対のキャッチャーアーム３Ｃ，３Ｄと、ホルダ枠２に後端が回転可能に支持され、キャッチャーアーム３Ｃ，３Ｄの上端側側面に形成された長孔１３に先端がスライド可能に係入されたアームサポート１４とからなるものとすることができる。
　前記駆動手段は、駆動モータ４６と、駆動モータ４６の出力側プーリ４７とエンドレスベルト４９を介して連繋された一端に伝達側プーリ４１を備え、他端に第１駆動歯車４２を備えた第１駆動軸４３と、第１駆動軸４３の第１駆動歯車４２に噛合する第２駆動歯車４４を備えた第２駆動軸４５と、キャッチャーレバー３Ａ，３Ｂを回転させるよう第１駆動軸４３、第２駆動軸４５それぞれに設けた駆動レバー５０とからなるものとすることができる。
　前記係止手段５は、キャッチャーレバー３Ａ，３Ｂが所定の仰角傾斜位置まで上昇回転した際に、作動子５０２の突出によりキャッチャーレバー３Ａ，３Ｂを係止可能とするソレノイド５０１によるものとすることができる。
　前記キャッチャーアーム組立対３は、一対のキャッチャーレバー３Ａ，３Ｂの後端側それぞれに一端が連結され、ホルダ枠２上側に配した回転駆動可能なネジ６１に螺着したナット６２にそれぞれ他端が連結されてなる左右一対のスプリングバネ６３と、ネジ６１の上端に設けた回転シャッター６８による遮光によってネジ６１の回転数を検出するよう駆動する光センサ６９と、ネジ６１に対するナット６２の移動範囲を規制するマイクロスイッチ７０とからなる景品把握力調整手段６を含むものとすることができる。
【考案の効果】
【０００６】
　本考案は以上のように構成されているために、キャッチャーアームをコンパクトに閉じたままの状態で何等の障害もなく自在に移動することができると共に、キャッチャーアームの把握力の強弱を容易に調整することができる。
【考案を実施するための最良の形態】
【０００７】
　以下、本考案を実施するための最良の形態を図面を参照して説明すると、図に示す符号１は、景品捕獲ゲームにおいて景品を保持するためのキャッチャー装置であり、このキャッチャー装置１は、図１に示すように、景品を収容したショーウインドケース内で例えば不図示のチェーン駆動等により前後左右上下方向に移動可能とした略筐体状のホルダ枠２と、前記ホルダ枠２に対し一対のキャッチャーレバー３Ａ，３Ｂを介して内側方向へ折り込み可能に設けられた例えば三組のキャッチャーアーム組立対３と、前記キャッチャーアーム組立対３それぞれを連動昇降駆動制御する駆動手段と、複数のキャッチャーレバー３Ａ，３Ｂの動作を制限するためにキャッチャーアーム組立対３の何れかのキャッチャーレバー３Ａ，３Ｂを上昇回転位置で係止するための係止手段と、キャッチャーアーム組立対３による景品の把握力を変更させるための景品把握力調整手段６とを備えている。
【０００８】
　前記キャッチャーアーム組立対３は、図１に示すように、ホルダ枠２に対して俯仰角度の傾斜位置間を回転可能となるようホルダ枠２の例えば駆動手段における後述する第１駆動軸、第２駆動軸それぞれに回転可能に後端が軸支された一対のキャッチャーレバー３Ａ，３Ｂを備え、このキャッチャーレバー３Ａ，３Ｂそれぞれの先端には、景品把握用の爪を先端に備えたキャッチャーアーム３Ｃ，３Ｄがヒンジジョイント３Ｅを介して回転可能に支持されている。また、キャッチャーアーム３Ｃ，３Ｄの上端側側面には長孔１３が形成されており、キャッチャーレバー３Ａ，３Ｂと平行に配置されるようＬ字形のアームサポート１４の後端がホルダ枠２にホルダースプリング１５を介して回転可能に支持され、キャッチャーアーム３Ｃ，３Ｄの長孔１３にアームサポート１４の先端がスライド自在に係入されている。こうしてキャッチャーレバー３Ａ，３Ｂが仰角傾斜位置と水平位置との間で昇降回転してもアームサポート１４によってキャッチャーアーム３Ｃ，３Ｄは外方へ広がらずに常に下方向に向くように保持できるものとしている。
【０００９】
　前記駆動手段は、図４に示すように、一端に伝達側プーリ４１を備え、他端に第１駆動歯車４２を備えた第１駆動軸４３と、第１駆動軸４３の第１駆動歯車４２に噛合するよう一端に第２駆動歯車４４を備えた第２駆動軸４５とがホルダ枠２内に枢着配置されていると共に、第１駆動軸４３には三組ある一対のキャッチャーレバー３Ａ，３Ｂの内の各一方の後端が回転可能に軸支され、第２駆動軸４５には三組ある一対のキャッチャーレバー３Ａ，３Ｂの内の各他方の後端が回転可能に軸支されている。そして、第１駆動軸４３の伝達側プーリ４１は、正逆回転可能な駆動モータ４６の出力側プーリ４７、ベルトテンション調節用のアジャストプーリ４８それぞれとエンドレスベルト４９を介して連繋されている。また、第１駆動軸４３、第２駆動軸４５それぞれには、キャッチャーレバー３Ａ，３Ｂに近接して駆動レバー５０の後端が固定されており、駆動レバー５０の先端から横方向に突出している突起によってキャッチャーレバー３Ａ，３Ｂの下側を支持しながら駆動モータ４６による第１駆動軸４３の正逆回転によってキャッチャーレバー３Ａ，３Ｂが俯仰角度の傾斜位置間を回転可能となるようにしている。尚、ホルダ枠２の側面には図２に示すように複数のセンサ５１が設けられ、このセンサ５１に対し、キャッチャーレバー３Ａ，３Ｂに連結したレバーシャッター５２が対向配置されており、キャッチャーレバー３Ａ，３Ｂと共に回転するレバーシャッター５２によりこれをセンサ５１で検知してキャッチャーアーム組立対３の位置を決めるものとしてある。
【００１０】
　前記係止手段５は、図３に示すように、通電または非通電に伴う電磁駆動のＯＮ／ＯＦＦにより作動子５０２を突出乃至退避させるソレノイド５０１を、中央のキャッチャーアーム組立対３を除く例えば左右両側のキャッチャーアーム組立対３の各キャッチャーレバー３Ａ，３Ｂに対応して合計四個を設けてある。一方、中央のキャッチャーアーム組立対３は、昇降動作を繰り返すのみとしてある。そして、図１に示すように、キャッチャーレバー３Ａ，３Ｂが所定の仰角傾斜位置まで上昇回転した際に、通電によりソレノイド５０１の作動子５０２を突出させてキャッチャーレバー３Ａ，３Ｂを下側から支持して係止させ、キャッチャーレバー３Ａ，３Ｂの下降回転を阻止するものとしてある。これら四個のソレノイド５０１の動作としては、例えばルーレット操作方式を採用することができ、これはユーザの操作によって「０」，「１」，「２」，「３」，「４」のボタンの例えば「１」を押すと左右両側の合計四個のうちボタン「１」に指定されている一つのソレノイド５０１の作動子５０２が退避してキャッチャーレバー３Ａ，３Ｂが下降回転するようにしても良い。
【００１１】
　前記景品把握力調整手段６は、ホルダ枠２内の上側位置から下方に垂下させ、ホルダ枠２に対し回転可能に枢着させたネジ６１にナット６２が螺着され、このナット６２には左右一対のスプリングバネ６３の上端が連結され、下端を一対のキャッチャーレバー３Ａ，３Ｂの後端側それぞれに連結されている。ネジ６１の上端には伝達プーリ６４が同軸となって取り付けられ、ＳＰ調整モータ６５の出力プーリ６６とエンドレスベルト６７を介して連繋させてある。伝達プーリ６４側には回転シャッター６８が同軸配置され、このネジ６１の上端に設けた回転シャッター６８による遮光によってネジ６１の回転数を検出するための光センサ６９が回転シャッター６８近傍に配置させてある。また、ネジ６１に対するナット６２の移動範囲を規制するためのマイクロスイッチ７０がネジ６１近傍に配置させてある。このようにしてスプリングバネ６３の張力が予め調整されることで、キャッチャーアーム組立対３の景品に対する把握力が容易に調整できるものとしてある。
【００１２】
　次に以上のように構成された最良の形態についての使用、動作の一例を説明するに、図１に示すように、景品把握力調整手段６において、スプリングバネ６３の張力を予め調整しておく。すなわち、ＳＰ調整モータ６５を回転させてネジ６１を回転駆動させることでナット６２を昇降移動させ、キャッチャーレバー３Ａ，３Ｂに連結されているスプリングバネ６３を伸張乃至収縮させることでキャッチャーアーム組立対３の景品に対する把握力を調整する。このとき、伝達プーリ６４側の回転シャッター６８の回転による光センサ６９の遮光によってネジ６１の回転数を検出する。また、マイクロスイッチ７０がナット６２に接触するとＳＰ調整モータ６５が停止するものとなり、これによってネジ６１に対するナット６２の移動範囲を規制する。
【００１３】
　駆動手段における駆動モータ４６の正方向への回転により、駆動レバー５０が一体回転してキャッチャーレバー３Ａ，３Ｂを仰角傾斜位置まで上昇回転させる。このとき、係止手段５におけるソレノイド５０１が通電されて作動子５０２が突出し、キャッチャーレバー３Ａ，３Ｂを下側から支持して係止させることでキャッチャーレバー３Ａ，３Ｂの下降回転が阻止されるのである。こうしてキャッチャーアーム組立対３をコンパクトに閉じたままの状態で何の障害もなく自在に移動できるものとなる。
【００１４】
　一方、駆動手段における駆動モータ４６の逆方向への回転により、駆動レバー５０が一体回転してキャッチャーレバー３Ａ，３Ｂを水平位置まで下降回転させるに際し、これと同時に、係止手段５におけるソレノイド５０１が非通電となって作動子５０２が退避し、キャッチャーレバー３Ａ，３Ｂ下側からの支持が解除されることでキャッチャーレバー３Ａ，３Ｂの下降回転が許容される。
【００１５】
　このようにキャッチャーレバー３Ａ，３Ｂが仰角傾斜位置と水平位置との間で昇降回転してもアームサポート１４によってキャッチャーアーム３Ｃ，３Ｄは外方へ広がらずに常に下方向に向くように保持されているのである。
【図面の簡単な説明】
【００１６】
【図１】本考案を実施するための最良の形態における内部構造を示す正面図である。
【図２】同じく正面図である。
【図３】同じく下面図である。
【図４】同じく内部構造の一部を示す斜視図である。
【符号の説明】
【００１７】
　１　キャッチャー本体
　２　ホルダ枠
　３　キャッチャーアーム組立対
　３Ａ，３Ｂ　キャッチャーレバー
　３Ｃ，３Ｄ　キャッチャーアーム
　５　係止手段
　６　景品把握力調整手段
　１３　長孔
　１４　アームサポート
　４２　第１駆動歯車
　４３　第１駆動軸
　４４　第２駆動歯車
　４５　第２駆動軸
　５０　駆動レバー
　５０１　ソレノイド
　５０２　作動子
【図１】
0003100426.tif 000003
【図２】
0003100426.tif 000004
【図３】
0003100426.tif 000005
【図４】
0003100426.tif 000006